(57)【要約】【課題】ワープルートにライン形状を表示させることができ、ワープルートを遊技球が通過したときでも発光源からの光を遮ることなく、かつワープルート通過中の遊技球が見えなくなってしまうことも無くなる。【解決手段】センター役物８を備え、センター役物８には、入口部１３及び出口部１６を連通するワープルート１２と、ライン状の光を放出するライン発光部１１とが設けられ、ライン発光部１１は、ワープルート１２以外の箇所のセンター役物８に設けられる発光源２２と、発光源２２の周囲を覆う不透明部材２３に形成され、ワープルート１２以外の箇所のセンター役物８に設けられる貫通孔２４と、貫通孔２４と対向して配置され、貫通孔２４を塞ぎながら貫通孔２４の箇所のセンター役物８からワープルート１２の前面まで延出されるランプカバー２５を有し、ランプカバー２５には、拡散部２８が設けられ、貫通孔２４を介して発光源２２から貫通孔２４と対向する領域に照射された光を拡散部２８でワープルート１２の前面側に拡散させている。【選択図】図３
2011240200.tif 000002
【特許請求の範囲】
【請求項１】
遊技盤上に設けられた表示装置と、該表示装置の周囲を装飾する装飾部材とを備え、該装飾部材には、遊技球を取り込む入口部と、該入口部から取り込まれた遊技球を出す出口部と、これら入口部と出口部とを連通するワープルートと、ライン状の光を放出するライン発光部とが設けられている遊技機において、
前記ライン発光部は、前記ワープルート以外の箇所の前記装飾部材に設けられる発光源と、該発光源の周囲を覆う不透明部材と、該不透明部材に形成され、前記ワープルート以外の箇所の前記装飾部材に設けられる孔部と、該孔部と対向して配置され、かつ前記孔部を塞ぎながら前記孔部の箇所の前記装飾部材から前記ワープルートの前面まで延出して設けられるランプカバーとを有し、該ランプカバーには、拡散部が設けられ、前記孔部を介して前記発光源から前記孔部と対向する領域に照射された光を前記拡散部によって前記ワープルートの前面側に拡散させるように構成されていることを特徴とする遊技機。
【発明の詳細な説明】
【技術分野】
【０００１】
本発明は、遊技機に係り、特に、リーチ予告時、リーチ発生時、大当たり予告時、大当たり発生時などにおいて、遊技者の視覚に対し効果的な演出を行えるように構成した遊技機に関する。
【背景技術】
【０００２】
一般的なパチンコ遊技機は、遊技者が遊技盤の下方に設けられた発射ハンドルを操作し、発射された遊技球が遊技盤の始動口に入賞すると、遊技盤中央部の液晶表示器（ＬＣＤ）やプラズマディスプレイなどからなる図柄表示装置の図柄表示画面に表示されている図柄（例えば、左右中列の各表示図柄）を変動表示させている。また、始動口への入賞に伴う始動条件成立時には、主制御装置において大当たり抽選が行われることになる。
そして、抽選結果が「大当たり」である場合、上記変動を開始した表示図柄は、例えば、リーチ予告演出、リーチ演出、大当たり予告演出などを行い、最終的に大当たり図柄で変動停止させて大当たり演出を行っている。一方、上記抽選結果が「ハズレ」である場合には、リーチ予告演出、リーチ演出を経て（あるいは、これらの演出を行うことなく）、ハズレ図柄で変動を停止させるようにしている。また、大当たり図柄で変動が停止した場合には大当たり状態となり、遊技盤の大入賞口が所定ラウンド数にわたり間欠的に解放されて多数の遊技球が入賞可能となり、多数の賞球が受け皿に払い出されて遊技者に特典が与えられることになる。
【０００３】
パチンコ遊技機の遊技盤上には、表示装置と、この表示装置の周囲を装飾する装飾部材としてのセンター役物が設けられている。このようなセンター役物には、遊技盤上の通常ルートとは別に、入った遊技球が盤面上を通らずに別の位置から出て来るようにしたワープルートが設けられており、該ワープルートを遊技球が通過することによって、通過した遊技球が始動口に入賞しやすくなるように構成されている。
【０００４】
ところで、従来のパチンコ遊技機の中には、リーチ予告演出、リーチ演出、大当たり予告演出、大当たり演出などを行う際、遊技者の期待感や喜びなどを高揚させるために、遊技盤の遊技領域に設けた発光源を点灯及び点滅させるだけでなく、遊技盤上のセンター役物に図柄表示装置からセンター役物外周まで延在するライン形状をした発光部を備えたものがある（例えば、特許文献１参照）。
【先行技術文献】
【特許文献】
【０００５】
【特許文献１】特開２００４−２８３２４６号公報
【発明の概要】
【発明が解決しようとする課題】
【０００６】
しかしながら、上述した従来のパチンコ遊技機においては、ラインの設置数が増えてワープルートと重なる位置にもライン形状を設ける構成について何も開示されていない。
そこで、単純にワープルートと重なる位置にライン形状が設けられているとした場合、ワープルートの背面側に発光源を設けたときには遊技球がワープルートを通過する際、遊技球が発光源からの光を遮ってしまい、演出効果の低下を招くという問題があった。
また、ワープルートの前面側に発光源を配置することによって、遊技球が発光源からの光を遮らないようにすることも考えられるが、発光源の存在によってワープルートを通過する遊技球が見えなくなってしまうという問題があった。
【０００７】
本発明はこのような実状に鑑みてなされたものであって、その目的は、ワープルートにライン形状を表示させることができ、ワープルートを遊技球が通過したときでも発光源からの光を遮ることなく、かつワープルート通過中の遊技球が見えなくなってしまうということも無くなり、各種演出効果を更に向上させることが可能な遊技機を提供することにある。
【課題を解決するための手段】
【０００８】
上記従来技術の有する課題を解決するために、本発明は、遊技盤上に設けられた表示装置と、該表示装置の周囲を装飾する装飾部材とを備え、該装飾部材には、遊技球を取り込む入口部と、該入口部から取り込まれた遊技球を出す出口部と、これら入口部と出口部とを連通するワープルートと、ライン状の光を放出するライン発光部とが設けられている遊技機において、
前記ライン発光部は、前記ワープルート以外の箇所の前記装飾部材に設けられる発光源と、該発光源の周囲を覆う不透明部材と、該不透明部材に形成され、前記ワープルート以外の箇所の前記装飾部材に設けられる孔部と、該孔部と対向して配置され、かつ前記孔部を塞ぎながら前記孔部の箇所の前記装飾部材から前記ワープルートの前面まで延出して設けられるランプカバーとを有し、該ランプカバーには、拡散部が設けられ、前記孔部を介して前記発光源から前記孔部と対向する領域に照射された光を前記拡散部によって前記ワープルートの前面側に拡散させるように構成されている。
【発明の効果】
【０００９】
上述の如く、本発明に係る遊技機は、遊技盤上に設けられた表示装置と、該表示装置の周囲を装飾する装飾部材とを備え、該装飾部材には、遊技球を取り込む入口部と、該入口部から取り込まれた遊技球を出す出口部と、これら入口部と出口部とを連通するワープルートと、ライン状の光を放出するライン発光部とが設けられているものであって、前記ライン発光部は、前記ワープルート以外の箇所の前記装飾部材に設けられる発光源と、該発光源の周囲を覆う不透明部材と、該不透明部材に形成され、前記ワープルート以外の箇所の前記装飾部材に設けられる孔部と、該孔部と対向して配置され、かつ前記孔部を塞ぎながら前記孔部の箇所の前記装飾部材から前記ワープルートの前面まで延出して設けられるランプカバーとを有し、該ランプカバーには、拡散部が設けられ、前記孔部を介して前記発光源から前記孔部と対向する領域に照射された光を前記拡散部によって前記ワープルートの前面側に拡散させるように構成されているので、発光源によってワープルートの前面側を光らせ、かつワープルートを遊技球が通過したときでも発光源からの光を遮ることが無くなり、演出効果を向上させることができると共に、ワープルートに表示したライン形状を強調することができる。
【図面の簡単な説明】
【００１０】
【図１】本発明の実施の形態に係るパチンコ遊技機の遊技盤を示す正面図である。
【図２】上記実施の形態に係る遊技盤のセンター役物を示す正面図である。
【図３】本発明の第１実施形態に係る遊技盤のセンター役物を示すものであって、図２のＡ−Ａ線断面図である。
【図４】本発明の第１実施形態に係る遊技盤のセンター役物において、ワープルートの付近を概念的に示す斜視図である。
【図５】図２のセンター役物におけるステージ部を示す斜視図である。
【図６】図５のステージ部の後側ステージを示す正面図である。
【図７】図５のステージ部の前側ステージを示す正面図である。
【図８】本発明の第２実施形態に係る遊技盤のセンター役物を示すものであって、図２のＡ−Ａ線断面図である。
【図９】本発明の第２実施形態に係る遊技盤のセンター役物において、ワープルートの付近を概念的に示す斜視図である。
【図１０】本発明の実施の形態の変形例に係る遊技盤のセンター役物を示すものであって、図２のＡ−Ａ線断面図である。
【発明を実施するための形態】
【００１１】
以下、本発明を図示の実施の形態に基づいて詳細に説明する。
【００１２】
図１〜図７は本発明の遊技機であるパチンコ遊技機の実施の形態を示している。図１は本発明の実施の形態に係るパチンコ遊技機の遊技盤の正面図、図２は本実施の形態に係る遊技盤のセンター役物の正面図、図３は本発明の第１実施形態に係る遊技盤のセンター役物を示すものであって、図２のＡ−Ａ線矢視図、図４は本発明の第１実施形態に係る遊技盤のセンター役物におけるワープルートの付近の概念的斜視図である。図５は図２のセンター役物におけるステージ部の斜視図、図６は図５のステージ部の後側ステージの正面図、図７は図５のステージ部の前側ステージの正面図である。
【００１３】
本実施の形態のパチンコ遊技機は、図１に示すように、意匠フィルムが貼着された表面に遊技釘（図示せず）、風車１、始動入賞口２、大入賞口３、アウト口４、誘導レール５などが所定位置に配設された遊技盤６を備えている。この遊技盤６上には、図１に示すような図柄表示装置（ＬＣＤ）７と、該図柄表示装置７の周囲を装飾する装飾部材としてのセンター役物８が設けられている。
【００１４】
上記センター役物８の中央部には、図２に示すように、四角形状の組付孔９が形成されており、この組付孔９には、図柄表示装置７の図柄表示画面１０が挿入配置されて取付けられている。また、センター役物８の外周辺部の正面側には、図１及び図２に示すように、種々の装飾が施されており、図柄表示装置７の図柄表示画面１０側からセンター役物８の外周に向けてライン状の光を放出する複数のライン発光部１１が間隔を置いて設けられている。
一方、センター役物８の外周辺部の片側には、図２〜図４に示すように、遊技球が通過する中空状のワープルート１２が設けられている。このワープルート１２は、センター役物８の外周面に設けられ、遊技盤６を落下する遊技球を取り込む上端部の入口部１３と、該入口部１３から入った遊技球を通過させる中間部の連通路１４と、センター役物８の内周面に設けられ、連通路１４内を落下した遊技球をステージ部１５へ誘導する下端部の出口部１６とから構成されている。
【００１５】
ステージ部１５は、図１、図２及び図５〜図７に示すように、センター役物８の下端内周部に形成されており、ワープルート１２の出口部１６から放出された遊技球は、ステージ部１５上に落下するようになっている。また、ステージ部１５は、連続的に高さが異なる湾曲形状に形成されており、遊技者から見て前後位置で異なる形状の後側ステージ１７及び前側ステージ１８を有している。後側ステージ１７は、ほぼ中央部が山形状の凸部１７ａとなっており、その左右両側は凹部１７ｂとなっている。
後側ステージ１７の凸部１７ａの頂部には、後側ほど低くなっている案内溝１９が形成されており、該案内溝１９の奥側には直通入口２０が設けられている。凹部１７ｂは、前側ほど低くなっている傾斜面に形成されており、導かれた多くの遊技球がここから前側ステージ１８へ導出されるようになっている。そして、直通入口２０に遊技球が入ったときには、当該遊技球が通過可能な直通ルート（図示せず）内を落下するように構成されている。また、直通ルートの下端部に位置するセンター役物８の中央下部には、直通ルート内を落下した遊技球を放出する直通出口２１が形成されており、該直通出口２１から放出された遊技球は、その開口部のほぼ真下の位置に設けられた始動入賞口２（図１参照）に案内されやすくなっている。ただし、直通出口２１から放出された遊技球が１００％の割合で始動入賞口２に案内されるものではない。
一方、前側ステージ１８は、前面視で中央部が円弧凹状に形成されている。このような円弧凹状の凹部１８ａは、前側ほど低くなっている傾斜面に形成されており、導かれた多くの遊技球がここから始動入賞口２（図１参照）へ向けて導出されるようになっている。なお、円弧凹状の凹部１８ａの遊技球が始動入賞口２へ向けて導出される幅は、直通出口２１の幅よりも広く設定されている。したがって、前側ステージ１８の凹部１８ａから始動入賞口２へ向けて遊技球が導出されたとしても、直通出口２１から放出された遊技球が始動入賞口２に入る確率よりも悪くなっている。
【００１６】
上記ライン発光部１１は、ワープルート１２以外の箇所のセンター役物８に設けられる発光源２２と、該発光源２２の周囲を覆う不透明部材２３と、該不透明部材２３に形成され、ワープルート１２以外の箇所のセンター役物８に設けられる孔部である矩形状の貫通孔２４と、該貫通孔２４と対向して配置され、かつ貫通孔２４を塞ぎながら貫通孔２４の箇所のセンター役物８からワープルート１２の前面まで延出して設けられるランプカバー２５とをそれぞれ有している。
発光源２２は、ワープルート１２の側方に位置する空洞部２６に設けられ、図外の電源に接続された回路基板２７の上に実装されている。
不透明部材２３は、少なくともワープルート１２の側方に位置する正面板８ａと、ワープルート１２を形成する側面壁２３ａ及び背面壁２３ｂの一部とを構成しており、発光源２２からの光が必要な箇所以外に漏れないようにしてライン発光部１１のラインを強調するために設けられている。
貫通孔２４は、センター役物８の正面となる不透明部材２３の上面側に形成されており、この貫通孔２４を介して発光源２２からの光が通過してランプカバー２５を照射するようになっている。貫通孔２４は、ワープルート１２の側方に位置する正面板８ａにおいてライン発光部１１のラインと同じ形状で、センター役物８の正面板８ａに形成されている。
【００１７】
上記ランプカバー２５は、発光源２２から照射された光を透過させる材料で形成されている。また、ランプカバー２５は、図３及び図４に示すように、ライン発光部１１のラインと対応して、図柄表示装置７の図柄表示画面１０から外周に向けて設けられており、センター役物８の正面板８ａからワープルート１２の連通路１４の上方を横切って配置されている。
【００１８】
そして、ランプカバー２５の裏面側には、ワープルート１２の前面側（センター役物８の正面側）を光らせ、かつワープルート１２を遊技球が通過したときでもワープルート１２の前面側を光らせるために、貫通孔２４を介して発光源２２から貫通孔２４と対向する領域に照射された光をワープルート１２の前面側に拡散させる拡散部２８が設けられている。このような拡散部２８は、ワープルート１２の側方に設置した発光源２２から真上に位置する正面板８ａの貫通孔２４のみを通ってランプカバー２５に到達した光がワープルート１２の前面側全域まで届くような構造となっている。
すなわち、拡散部２８は、ランプカバー２５の裏面に多数のカット部２８ａを設けることにより構成されている。これらカット部２８ａは、断面三角形状（断面台形形状、断面四角形状等でもよい）に形成されており、ランプカバー２５の全幅に沿って設けられていると共に、正面板８ａ及びワープルート１２の上方に位置するランプカバー２５の長手方向に沿って連続的に（または一定の間隔を置いて）設けられている。
【００１９】
なお、拡散部２８は、ランプカバー２５の裏面及び表面の少なくとも一方に設けられていれば良く、ランプカバー２５の裏面側ではなく、表面側に設けられていても良く、あるいはランプカバー２５の裏面及び表面の両方に設けられていても良い。また、拡散部２８は、多数のカット部２８ａを設けることにより構成されているが、発光源２２からの光がワープルート１２の前面側全域まで届くような構造であれば、ランプカバー２５を長手方向に沿って波形に形成することにより設けることも可能である。
【００２０】
本発明の第１実施形態のパチンコ遊技機において、図外の発射ハンドルの操作によって遊技球が遊技盤６上に発射されると、遊技球の多くは遊技盤６の面上を落下し、遊技球の一部はセンター役物８に設けたワープルート１２の入口部１３に入ることになる。ワープルート１２の入口部１３から入った遊技球は、ワープルート１２の連通路１４を落下しながら通過し、ワープルート１２の下端部の出口部１６から放出されてステージ部１５に導かれ、後側ステージ１７の奥側に位置する直通入口２０又は前側ステージ１８の凹部１８ａより直通出口２１を経て始動入賞口２などに案内されることになる。
その際、ワープルート１２の側方に配置された発光源２２から照射された光が、センター役物８の正面板８ａに穿設された貫通孔２４から出る。この貫通孔２４は、ランプカバー２５によって塞がれていることから、貫通孔２４から出た光はランプカバー２５の拡散部２８によってワープルート１２側に拡散される。ワープルート１２側に光が拡散されると、ランプカバー２５の全体が光ることになる。ランプカバー２５はワープルート１２の表面に設けられていることから、ワープルート１２側に発光源２２が設置されていなくても、光のラインを作ることができる。また、ワープルート１２を通過する遊技球によって光が遮られことが無くなり、遊技球が見えなくなってしまうことも発生しない。
また、ランプカバー２５は、ライン発光部１１のラインと対応する箇所に設けられ、かつライン発光部１１のラインと同一の形状に形成されていると共に、発光源２２の周囲を不透明部材２３によって覆っているため、発光源２２からの光が必要な箇所以外に漏れず、ライン発光部１１のラインを強調することが可能となり、各種演出効果を向上させ、遊技者に対して強いインパクトなどを与えることができる。
【００２１】
図８及び図９は本発明の遊技機であるパチンコ遊技機の第２実施形態を示しており、上記第１実施形態と同一部位には同一符号を付して説明を省略する。
本発明の第２実施形態に係るパチンコ遊技機が第１実施形態のものと異なるのは、図８及び図９に示すように、正面板８ａに接続するワープルート１２の側面壁２３ａに側面貫通孔２９が形成されている点である。この側面貫通孔２９は、側面壁２３ａの正面板８ａ寄りの一部を切欠くことにより、各正面板８ａ側の貫通孔２４と互いに連通している。
正面板８ａ側の貫通孔２４は、ライン発光部１１のラインと同一の形状に形成されていると共に、側面壁２３ａ側の側面貫通孔２９は、側面壁２３ａの一部のみに形成されている。また、これら貫通孔２４，２９の幅は、ランプカバー２５の幅と同等となるように形成されている。なお、側面貫通孔２９の幅は、ランプカバー２５の幅よりも狭くなるように形成されていても良い。その他の構成は、上記第１実施形態と同様である。
【００２２】
したがって、本発明の第２実施形態のパチンコ遊技機によれば、正面板８ａ側の貫通孔２４と連通する側面貫通孔２９が側面壁２３ａの一部のみに形成されているため、発光源２２から発光される光が正面板８ａ側の貫通孔２４からランプカバー２５に直接照射されるだけでなく、ワープルート１２の側面壁２３ａの側面貫通孔２９からも光が放出され、ワープルート１２内を光が通過してランプカバー２５に照射されるようになる。ランプカバー２５には、ワープルート１２側へ光を拡散させる拡散部２８が設けられていることから、正面板８ａから照射される光だけでもワープルート１２側へ光が拡散してランプカバー２５の全体が光るようになるが、更にワープルート１２内を光が通過して、ワープルート１２上のランプカバー２５に直接光を照射させることができ、より効果的にランプカバー２５の全体を光らせることができる。その他の作用効果は、上記第１実施形態と同様である。
なお、側面貫通孔２９の幅をランプカバー２５の幅よりも狭く形成した場合には次の効果が得られる。すなわち、光は元々拡散するものであり、側面貫通孔２９とランプカバー２５とが離れて設置されていることから、側面貫通孔２９の幅とランプカバー２５の幅を同じに設定すると、側面貫通孔２９から出た光が拡散して光の照射されたときの幅がランプカバー２５の幅よりも大きくなってしまうおそれがある。ランプカバー２５の幅よりも照射されたときの光の幅が大きいと、ランプカバー２５の周囲も透光性部材で構成されているときにランプカバー２５以外の部分も光ってしまう。そのため、側面貫通孔２９の幅をランプカバー２５の幅よりも狭くなるように形成することによって、側面貫通孔２９から出た光が拡散したとしても、ランプカバー２５にだけ光が照射されることになり、ランプカバー２５のみを光らせ、光のラインを強調させることができる。
【００２３】
以上、本発明の実施の形態につき述べたが、本発明は既述の実施の形態に限定されるものではなく、本発明の技術的思想に基づいて各種の変形及び変更が可能である。
【００２４】
例えば、既述の第２実施形態では、発光源１９及び回路基板２０がランプカバー２２に対して平行に設置されているが、図１０に示すように、ワープルート１２と反対側に位置する回路基板２７の端部を持ち上げることにより、発光源２２がセンター役物８の正面板８ａと直交する方向に対してワープルート１２側に臨むように傾斜して配置されていても良い。このような位置関係に発光源２２が配置されると、図１０の鎖線Ｘで示すように、発光源２２からの光がワープルート１２の側面壁２３ａの側面貫通孔２９を通して直接光が放出され、その光がワープルート１２内を通過してランプカバー２５に照射されるようになることから、ワープルート１２側のランプカバー２５にも直接光が照射され、より効果的にランプカバー２５の全体を光らせることができる。
【符号の説明】
【００２５】
６  遊技盤
７  図柄表示装置
８  センター役物（装飾部材）
８ａ  正面板
１０  図柄表示画面
１１  ライン発光部
１２  ワープルート
１３  入口部
１４  連通路
１５  ステージ部
１６  出口部
２２  発光源
２３  不透明部材
２４  貫通孔
２５  ランプカバー
２６  空洞部
２７  回路基板  
２８  拡散部
２８ａ  カット部
２９  側面貫通孔
【図１】
2011240200.tif 000003
【図２】
2011240200.tif 000004
【図３】
2011240200.tif 000005
【図４】
2011240200.tif 000006
【図５】
2011240200.tif 000007
【図６】
2011240200.tif 000008
【図７】
2011240200.tif 000009
【図８】
2011240200.tif 000010
【図９】
2011240200.tif 000011
【図１０】
2011240200.tif 000012